(57)【要約】【課題】高価なセンサを用いることなく、表示装置の位置や周囲光に応じてカメラや表示装置の状態を適切に制御できるカメラを提供する。【解決手段】本発明に係るカメラは、カメラ本体（２）と、画像を表示する画面を有し、前記カメラ本体に対し回動自在に連結された表示部（１７）と、前記表示部の前記画面の側に設けられた第１照度センサ（１９）と、前記表示部の前記画面とは反対の側に設けられた第２照度センサ（２０）と、照度閾値を記憶する照度閾値記憶部（２１）と、前記第１照度センサ及び前記第２照度センサで検出された光の照度と、前記照度閾値記憶部に記憶された前記照度閾値とに基づいて、前記カメラ本体及び／又は前記表示部をオン状態又はオフ状態に設定する制御部（２３）と、を備える。【選択図】図１
2013172385.tif 000002
【特許請求の範囲】
【請求項１】
カメラ本体と、
画像を表示する画面を有し、前記カメラ本体に対し回動自在に連結された表示部と、
前記表示部の前記画面の側に設けられた第１照度センサと、
前記表示部の前記画面とは反対の側に設けられた第２照度センサと、
照度閾値を記憶する照度閾値記憶部と、
前記第１照度センサ及び前記第２照度センサで検出された光の照度と、前記照度閾値記憶部に記憶された前記照度閾値とに基づいて、前記カメラ本体及び／又は前記表示部をオン状態又はオフ状態に設定する制御部と、
を備えることを特徴とするカメラ。
【請求項２】
請求項１に記載のカメラにおいて、
前記制御部は、前記第１照度センサで検出された光の照度に応じて前記表示部の輝度を制御することを特徴とするカメラ。
【請求項３】
請求項１又は２に記載のカメラにおいて、
前記制御部は、前記第１照度センサで検出された光の照度が前記照度閾値を超える場合には、前記カメラ本体及び／又は前記表示部をオン状態に設定することを特徴とするカメラ。
【請求項４】
請求項１〜３のいずれか一項に記載のカメラにおいて、
前記制御部は、前記第１照度センサで検出された光の照度が前記照度閾値を超えず、且つ、前記第２照度センサで検出された光の照度が前記照度閾値を超える場合には、前記カメラ本体及び／又は前記表示部をオフ状態に設定することを特徴とするカメラ。
【請求項５】
請求項１〜４のいずれか一項に記載のカメラにおいて、
前記カメラ本体及び／又は前記表示部に対するオン状態又はオフ状態の設定を記憶する設定記憶部を備え、
前記制御部は、前記第１照度センサ及び前記第２照度センサで検出された光の照度がいずれも前記照度閾値に満たない場合に、前記設定記憶部に記憶されている設定がオン状態であれば、前記カメラ本体及び／又は前記表示部をオン状態に設定し、前記設定記憶部に記憶されている設定がオフ状態であれば、前記カメラ本体及び／又は前記表示部をオフ状態に設定することを特徴とするカメラ。
【請求項６】
請求項１〜５のいずれか一項に記載のカメラにおいて、
前記制御部は、前記カメラ本体及び／又は前記表示部をオン状態に設定した場合に、その後の規定時間内に前記カメラ本体への操作が無ければ、前記カメラ本体及び／又は前記表示部をオフ状態に設定することを特徴とするカメラ。
【発明の詳細な説明】
【技術分野】
【０００１】
本発明は、可動式の表示装置を備えたカメラに関する。
【背景技術】
【０００２】
可動式の表示装置を備えたカメラでは、表示装置の開閉を磁石型センサにより検出している。このカメラでは、表示装置の開閉を検出すると、例えば、カメラ本体のモードを切り替えたり、表示装置の表示内容を切り替えたりする。しかし、磁石型センサはコストが高いうえ、表示装置のヒンジ部と機械的に連結する必要があるために構造が複雑になる。また、ヒンジ部に磁石型センサを組み込むと、カメラボディにおいて、表示装置やヒンジ部のスペースが制限される。更に、磁石型センサの発生する磁力が、内部の回路に対し影響を与えるおそれがある。
【０００３】
一方、従来、表示装置を備えたカメラにおいて、撮影者の接近を近接センサにより検出し、表示内容を切り替える技術が提案されている（例えば、特許文献１参照）。
【先行技術文献】
【特許文献】
【０００４】
【特許文献１】特開２００４−１４０７３６号公報
【発明の概要】
【発明が解決しようとする課題】
【０００５】
上述した可動式の表示装置を備えたカメラにおいて、磁石型センサの代わりに、近接センサにより表示装置の開閉を検出することも考えられる。しかし、一般的な近接センサは、発光素子と受光素子とを備えるため、コストが高くなる。とくに、二軸式のヒンジ部でカメラに連結された表示装置は、表示画面を撮影者の側に向けたり、被写体の側に向けたりすることができる。このため、表示装置の位置を検出するには、多くの近接センサが必要となる。更に、撮影中にカメラが暗闇に近い暗さの場所に持ち込まれた場合や、カメラがカバン等に収納された場合において、接近センサでは周囲光の変化を検出できないため、カメラや表示装置の状態を適切に制御することが難しい。
【０００６】
本発明の課題は、高価なセンサを用いることなく、表示装置の位置や周囲光に応じてカメラや表示装置の状態を適切に制御できるカメラを提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、カメラ本体（２）と、画像を表示する画面（１７１）を有し、前記カメラ本体に対し回動自在に連結された表示部（１７）と、前記表示部の前記画面の側に設けられた第１照度センサ（１９）と、前記表示部の前記画面とは反対の側に設けられた第２照度センサ（２０）と、照度閾値を記憶する照度閾値記憶部（２１）と、前記第１照度センサ及び前記第２照度センサで検出された光の照度と、前記照度閾値記憶部に記憶された前記照度閾値とに基づいて、前記カメラ本体及び／又は前記表示部をオン状態又はオフ状態に設定する制御部（２３）と、を備えるカメラ（１）である。
請求項２に記載の発明は、請求項１において、前記制御部（２３）は、前記第１照度センサ（１９）で検出された光の照度に応じて前記表示部（１７）の輝度を制御することを特徴とする。
請求項３に記載の発明は、請求項１又は２において、前記制御部（２３）は、前記第１照度センサ（１９）で検出された光の照度が前記照度閾値を超える場合には、前記カメラ本体及び／又は前記表示部をオン状態に設定することを特徴とする。
請求項４に記載の発明は、請求項１〜３のいずれか一項において、前記制御部は、前記第１照度センサで検出された光の照度が前記照度閾値を超えず、且つ、前記第２照度センサで検出された光の照度が前記照度閾値を超える場合には、前記カメラ本体及び／又は前記表示部をオフ状態に設定することを特徴とする。
請求項５に記載の発明は、請求項１〜４のいずれか一項において、前記カメラ本体及び／又は前記表示部に対するオン状態又はオフ状態の設定を記憶する設定記憶部（２１）を備え、前記制御部（２３）は、前記第１照度センサ（１９）及び前記第２照度センサ（２０）で検出された光の照度がいずれも前記照度閾値に満たない場合に、前記設定記憶部に記憶されている設定がオン状態であれば、前記カメラ本体及び／又は前記表示部をオン状態に設定し、前記設定記憶部に記憶されている設定がオフ状態であれば、前記カメラ本体及び／又は前記表示部をオフ状態に設定することを特徴とする。
請求項６に記載の発明は、請求項１〜５のいずれか一項において、前記制御部（２３）は、前記カメラ本体及び／又は前記表示部をオン状態に設定した場合に、その後の規定時間内に前記カメラ本体（２）への操作が無ければ、前記カメラ本体及び／又は前記表示部をオフ状態に設定することを特徴とする。
なお、符号を付して説明した構成は、適宜改良してもよく、また、少なくとも一部を他の構成物に代替してもよい。
【発明の効果】
【０００８】
本発明によれば、高価なセンサを用いることなく、表示装置の位置や周囲光に応じてカメラや表示装置の状態を適切に制御できるカメラを提供することができる。
【図面の簡単な説明】
【０００９】
【図１】実施形態に係るカメラ１の機能的な構成を示すブロック図である。
【図２】カメラ１を背面側から見たときの斜視図である。
【図３】（ａ）〜（ｃ）はカメラ１の液晶モニタ１７を回動させたときの使用形態を示す斜視図である。
【図４】カメラ制御部２３が液晶モニタ１７の状態を制御する場合の処理手順を示すフローチャートである。
【発明を実施するための形態】
【００１０】
以下、図面を参照して、本発明に係るカメラの実施形態について説明する。なお、以下に示す図２及び図３には、説明と理解とを容易にするために、ＸＹＺの直交座標系を設けた。この座標系では、撮影者が光軸Ａ（図２参照）を水平として横長の画像を撮影する場合のカメラ位置（以下、正位置という）において撮影者から見て左側に向かう方向をＸ軸のプラス方向とする。また、正位置において上側に向かう方向をＹ軸のプラス方向とする。更に、正位置において被写体に向かう方向をＺ軸のプラス方向とする。
【００１１】
図１は、本実施形態に係るカメラ１の機能的な構成を示すブロック図である。図２は、カメラ１を背面側から見たときの斜視図である。図３（ａ）〜（ｃ）は、カメラ１の液晶モニタ１７を回動させたときの使用形態を示す斜視図である。
【００１２】
本実施形態に係るカメラ１は、カメラ本体としてのカメラボディ２と、レンズ鏡筒３と、を備える（図２参照）。カメラ１は、カメラボディ２に対してレンズ鏡筒３が着脱自在に装着されるレンズ交換式のデジタル一眼レフカメラである。
【００１３】
図１に示すように、カメラボディ２は、撮像部１１と、画像処理部１２と、記録部１３と、測光部１４と、発光部１５と、操作部１６と、を備える。また、カメラボディ２は、表示部としての液晶モニタ１７と、バックライト１８と、第１照度センサ１９と、第２照度センサ２０と、データメモリ２１と、画像バッファ２２と、カメラ制御部２３と、を備える。
【００１４】
撮像部１１は、撮像素子（不図示）により構成されたイメージセンサである。撮像部１１は、撮像素子の撮像面において被写体光像を撮像し、電気的な画像データに変換して出力する。撮像部１１から出力された画像データは、画像処理部１２において各種の画像処理が施される。
【００１５】
記録部１３は、画像処理部１２において画像処理された画像データを、メモリカード（不図示）に記録する。メモリカードは、記録部１３に対し着脱自在な記憶手段である。
【００１６】
測光部１４は、被写体光像の輝度（明るさ）を検出して測光値を出力する回路である。測光部から出力された測光値は、カメラ制御部２３に送信される。なお、本発明を、独立した測光部を持たないカメラ、例えば、汎用のコンパクトデジタルカメラ等に適用した場合には、撮像部１１で撮像された画像データに基づいて被写体の輝度が検出される。
【００１７】
発光部１５は、カメラ制御部２３の制御により照明光を発光するポップアップ式の照明装置である。発光部１５は、被写体の輝度が基準値よりも低い場合に自動的にポップアップする。また、発光部１５は、撮影者がボタン操作することにより、手動でポップアップさせることができる。
【００１８】
操作部１６は、撮影者がカメラ制御部２３に対してモード選択や設定変更等の各種の操作を行うための入力手段である。操作部１６は、図２に示すシャッターボタン５、モードダイヤル６、コマンドダイヤル７、マルチセレクタ８等により構成される。シャッターボタン５の周囲には、カメラボディ２の電源をオン／オフするための電源スイッチ（不図示）が設けられている。
【００１９】
液晶モニタ１７は、撮像部１１で撮影された画像、撮影条件やカメラの操作に関連する情報、各種メッセージ等を表示する。液晶モニタ１７は、カラー液晶ディスプレイパネルにより構成される。液晶モニタ１７の上部には、図２に示すように、撮影者が被写体像を観察するためのファインダ９が設けられている。
【００２０】
液晶モニタ１７は、図２に示すように、二軸式のヒンジ部１０により、カメラボディ２に対し回動自在に連結されている。ヒンジ部１０は、カメラボディ２において、背面側の左端に設けられている。ヒンジ部１０は、回転軸として、第１軸Ｓ１及び第２軸Ｓ２を有する。第１軸Ｓ１は、Ｙ軸の方向に設定された軸である。第２軸Ｓ２は、第１軸Ｓ１と直交するＸ軸の方向に設定された軸である。液晶モニタ１７は、第１軸Ｓ１を中心として１８０°回動することができる。また、液晶モニタ１７は、第２軸Ｓ２を中心として２７０°回動することができる。
【００２１】
液晶モニタ１７は、図２に示すように、一方の側に表示画面１７１を有する。表示画面１７１には、画像が表示される。また、液晶モニタ１７は、表示画面１７１と反対側の面に背面カバー１７２を有する。図２は、液晶モニタ１７の表示画面１７１をカメラボディ２の側に向けて収納した状態を示す。
【００２２】
ここで、ヒンジ部１０により液晶モニタ１７を回動させたときの使用形態を、図３を参照して説明する。図３（ａ）において、液晶モニタ１７は、表示画面１７１がカメラボディ２の側に向いた状態で収納されている。この状態において、液晶モニタ１７の背面カバー１７２は、撮影者側を向く。
【００２３】
液晶モニタ１７は、第１軸Ｓ１を中心として、矢印Ａ１の方向に１８０°の範囲で回動することができる。液晶モニタ１７は、上記角度範囲であれば、任意の位置で止めることができる。図３（ａ）に示すように、液晶モニタ１７を、カメラボディ２に収納した位置から矢印Ａ１の方向に１８０°回動することにより、液晶モニタ１７はカメラボディ２の左側に移動する（以下、適宜に「開き位置」という）。この状態において、液晶モニタ１７の表示画面１７１は、撮影者側を向く。
【００２４】
また、開き位置に移動した液晶モニタ１７は、第２軸Ｓ２を中心として２７０°の範囲で回動することができる。すなわち、図３（ｂ）に示すように、液晶モニタ１７は、開き位置から第２軸Ｓ２を中心として、矢印Ａ２の方向に９０°の範囲、且つ矢印Ａ３の方向に１８０°の範囲で回動することができる。液晶モニタ１７は、上記角度範囲であれば、任意の位置で止めることができる。
【００２５】
撮影者は、液晶モニタ１７を開き位置から第２軸Ｓ２を中心として矢印Ａ２の方向に９０°回動することにより、表示画面１７１を下向きにすることができる。撮影者は、この状態でカメラを頭上に差し上げることにより、ハイアングル撮影を行うことができる。
【００２６】
また、撮影者は、液晶モニタ１７を開き位置から第２軸Ｓ２を中心として矢印Ａ３の方向に９０°回動することにより、表示画面１７１を上向きにすることができる。撮影者は、この状態でカメラ１を下方に降ろすことにより、ローアングル撮影を行なうことができる。
【００２７】
更に、液晶モニタ１７を開き位置から第２軸Ｓ２を中心として矢印Ａ３の方向に１８０°回動することにより、表示画面１７１を被写体側（Ｚ軸のプラス方向）に向けることができる。撮影者は、この状態でレンズ鏡筒３を自分の方向に向けることにより、セルフポートレートの撮影を行うことができる。なお、上述した撮影形態は一例であり、この例に限定されない。
【００２８】
また、図３（ｃ）に示すように、液晶モニタ１７を開き位置から第２軸Ｓ２を中心として矢印Ａ３の方向に１８０°回動した状態において、更に第１軸Ｓ１を中心として矢印Ａ４の方向に１８０°回動させることにより、液晶モニタ１７の表示画面１７１をカメラボディ２に収納することができる。この状態において、液晶モニタ１７の表示画面１７１は、撮影者の側を向く。図３（ａ）又は（ｃ）に示すように、液晶モニタ１７の表示画面１７１が撮影者の側を向いた状態において、撮影者は、例えば液晶モニタ１７に表示された画像を見ながらライブビュー撮影や動画撮影等を行なうことができる。
【００２９】
バックライト１８は、液晶モニタ１７（カラー液晶ディスプレイパネル）の背面に配置された平面形の照明装置である。バックライト１８の輝度は、カメラ制御部２３により制御される。
【００３０】
第１照度センサ１９は、液晶モニタ１７の表示画面１７１に照射された周囲光の照度を検出する。第１照度センサ１９は、図３（ａ）及び（ｃ）に示すように、表示画面１７１の近傍に設けられる。以下、第１照度センサ１９で検出された周囲光の照度を「検出照度Ｌ１」という。
【００３１】
第２照度センサ２０は、液晶モニタ１７の背面カバー１７２に照射された周囲光の照度を検出する。第２照度センサ２０は、図２に示すように、背面カバー１７２の隅に設けられる。以下、第２照度センサ２０で検出された周囲光の照度を「検出照度Ｌ２」という。
【００３２】
データメモリ２１は、撮影者が操作部１６を介して入力した設定情報、カメラ１の動作や制御に必要なプログラム、このプログラムの実行に必要な初期値や設定値等に関するデータが記憶されるメモリである。データメモリ２１に記憶されたデータは、カメラ１の電源がオフしても保持される。
【００３３】
また、データメモリ２１は、照度閾値記憶部として、照度閾値Ｌｔｈを記憶する。照度閾値Ｌｔｈは、液晶モニタ１７をオン状態又はオフ状態（後述）に設定する際の基準となる照度である。照度閾値Ｌｔｈは、例えば、ＩＳＯ感度を最大増感値としても適正な露出が得られない照度である。検出照度Ｌ１及びＬ２が照度閾値Ｌｔｈを超える場合としては、例えば、撮影中にカメラ１が暗闇に近い暗さの場所（以下、「暗所」という）に持ち込まれた場合や、カメラ１がカバン等に収納された場合が挙げられる。
【００３４】
また、データメモリ２１は、設定記憶部として、液晶モニタ１７に対するオン状態又はオフ状態の設定を記憶する。データメモリ２１に記憶されたオン状態又はオフ状態の設定は、カメラ制御部２３において、液晶モニタ１７の状態を設定する毎に書き換えられる。
【００３５】
なお、カメラ１は、上述したデータメモリ２１の他に、カメラ制御部２３等が演算処理を実行する際に必要なデータ等を一時的に記憶する揮発性メモリ（不図示）を備える。
【００３６】
画像バッファ２２は、画像処理部１２が画像データを画像処理する際に使用するメモリである。
【００３７】
カメラ制御部２３は、カメラ１を統括的に制御するマイクロプロセッサである。カメラ制御部２３は、ＡＦ（自動焦点調節）やＡＥ（自動露出）の制御を実行すると共に、不図示の絞り機構やシャッタ等を所定のタイミングで駆動して、撮像部１１において被写体光像を撮像させる制御を実行する。
【００３８】
また、カメラ制御部２３は、第１照度センサ１９で検出した周囲光の照度に応じて、液晶モニタ１７の表示画面１７１を照らすバックライト１８の輝度を制御する（自動輝度制御）。具体的には、カメラ制御部２３は、周囲光の照度が高ければバックライト１８の輝度を高くし、周囲光の照度が低ければバックライト１８の輝度を低くする。このように、周囲光の明暗に応じてバックライト１８の輝度を制御することにより、表示画面１７１の視認性が向上し、また省電力を実現できる。
【００３９】
カメラ制御部２３は、第１照度センサ１９で検出された検出照度Ｌ１を、第１照度センサ１９から所定の時間間隔で取得する。また、カメラ制御部２３は、第２照度センサ２０で検出された検出照度Ｌ２を、第２照度センサ２０から所定の時間間隔で取得する。
【００４０】
カメラ制御部２３は、第１照度センサ１９で検出された検出照度Ｌ１及び第２照度センサ２０で検出された検出照度Ｌ２と、データメモリ２１に記憶された照度閾値Ｌｔｈとに基づいて、液晶モニタ１７をオン状態又はオフ状態に設定する。本実施形態において、「オン状態」とは、液晶モニタ１７の表示画面１７１に画像を表示することをいう。また、「オフ状態」とは、液晶モニタ１７の表示画面１７１における画像の表示を停止することをいう。なお、後述するように、液晶モニタ１７において、オン状態及びオフ状態は、画像の表示又は表示の停止に限らず他の形態であってもよい。
【００４１】
カメラ制御部２３は、第１照度センサ１９で検出された周囲光の検出照度Ｌ１が、照度閾値Ｌｔｈを超える場合には、液晶モニタ１７をオン状態に設定する。例えば、図３（ａ）に示すように、液晶モニタ１７を開き位置まで回動させた使用形態において、第１照度センサ１９及び第２照度センサ２０は、周囲光の照度を検出できる。この場合に、カメラ１の撮影位置において、周囲光の照度が適正露出に制御できる範囲内であれば、検出照度Ｌ１（第１照度センサ１９）及び検出照度Ｌ２（第２照度センサ２０）は、いずれも照度閾値Ｌｔｈを超える。
【００４２】
また、図３（ｃ）に示すように、液晶モニタ１７の表示画面１７１を撮影者側に向けてカメラボディ２に収納した使用形態において、第１照度センサ１９は、周囲光の照度を検出することができる。この場合に、カメラ１の撮影位置において、周囲光の照度が適正露出に制御できる範囲内であれば、検出照度Ｌ１（第１照度センサ１９）は照度閾値Ｌｔｈを超える。なお、第２照度センサ２０は、カメラボディ２の側に向いているため、周囲光の照度を検出できない。このため、検出照度Ｌ２で検出される検出照度Ｌ２は、照度閾値Ｌｔｈに満たない。
【００４３】
このように、検出照度Ｌ１が照度閾値Ｌｔｈを超える場合は、撮影者がライブビュー撮影等、液晶モニタ１７の表示された画像を見ながら撮影する使用形態が考えられる。従って、カメラ制御部２３は、第１照度センサ１９で検出された周囲光の検出照度Ｌ１が照度閾値Ｌｔｈを超える場合には、液晶モニタ１７をオン状態に設定する。これにより、撮影者がライブビュー撮影等を行なう場合において、液晶モニタ１７の表示画面１７１に撮影中の画像を表示できる。カメラ制御部２３は、上述したように、液晶モニタ１７をオン状態に設定した場合は、データメモリ２１にオン状態の設定を記憶する。
【００４４】
また、カメラ制御部２３は、第１照度センサ１９で検出された周囲光の検出照度Ｌ１が照度閾値Ｌｔｈを超えず、且つ、第２照度センサ２０で検出された周囲光の検出照度Ｌ２が照度閾値Ｌｔｈを超える場合には、液晶モニタ１７をオフ状態に設定する。例えば、図２に示すように、液晶モニタ１７の表示画面１７１をカメラボディ２の側に向けて収納した使用形態において、第１照度センサ１９は、周囲光の照度を検出できない。このため、第１照度センサ１９で検出された周囲光の検出照度Ｌ１は、照度閾値Ｌｔｈを超えない。一方、第２照度センサ２０は、周囲光の照度を検出できる。この場合に、カメラ１の撮影位置において、周囲光の照度が適正露出に制御できる範囲内であれば、検出照度Ｌ２（第２照度センサ２０）は、照度閾値Ｌｔｈを超える。
【００４５】
このように、検出照度Ｌ１が照度閾値Ｌｔｈを超えず、且つ、検出照度Ｌ２が照度閾値Ｌｔｈを超える場合は、撮影者が、ファインダ９を覗きながら撮影する場合が考えられる。この場合、液晶モニタ１７に画像を表示する必要はない。従って、カメラ制御部２３は、検出照度Ｌ１が照度閾値Ｌｔｈを超えず、且つ、検出照度Ｌ２が照度閾値Ｌｔｈを超える場合には、液晶モニタ１７をオフ状態に設定する。これにより、撮影者がファインダ９を覗いて撮影する場合において、液晶モニタ１７での無駄な電力消費を削減できる。カメラ制御部２３は、液晶モニタ１７をオフ状態に設定した場合は、データメモリ２１にオフ状態の設定を記憶する。
【００４６】
また、カメラ制御部２３は、第１照度センサ１９で検出された周囲光の検出照度Ｌ１及び第２照度センサ２０で検出された周囲光の検出照度Ｌ２が、いずれも照度閾値Ｌｔｈに満たない場合には、データメモリ２１に記憶されている、液晶モニタ１の現在の状態を示す情報を参照する。カメラ制御部２３は、データメモリ２１に記憶されている情報がオン状態であれば、液晶モニタ１７をオン状態に設定する。また、カメラ制御部２３は、データメモリ２１に記憶されている情報がオフ状態であれば、液晶モニタ１７をオフ状態に設定する。
【００４７】
例えば、液晶モニタ１７を開き位置まで回動させた使用形態（図３（ａ）参照）、及び液晶モニタ１７の表示画面１７１を撮影者側に向けてカメラボディ２に収納した使用形態（図３（ｃ）参照）において、検出照度Ｌ１及び検出照度Ｌ２が、いずれも照度閾値Ｌｔｈに満たない場合としては、例えば、撮影中にカメラ１が暗所に持ち込まれた場合や、照明等が消された場合が考えられる。
【００４８】
この場合、撮影者が液晶モニタ１７を見ながら撮影を継続している可能性がある。このため、カメラ制御部２３は、検出照度Ｌ１及び検出照度Ｌ２が、いずれも照度閾値Ｌｔｈに満たない場合に、データメモリ２１に記憶されている情報がオン状態であれば、液晶モニタ１７をオン状態に設定する。これにより、撮影者が暗所で撮影を行なう場合において、液晶モニタ１７の表示画面１７１に撮影中の画像を表示できる。カメラ制御部２３は、液晶モニタ１７をオン状態に設定した場合は、データメモリ２１にオン状態の設定を記憶する。
【００４９】
なお、液晶モニタ１７を開き位置まで回動させた使用形態（図３（ａ）参照）、及び液晶モニタ１７の表示画面１７１を撮影者側に向けてカメラボディ２に収納した使用形態（図３（ｃ）参照）において、検出照度Ｌ１及び検出照度Ｌ２が、いずれも照度閾値Ｌｔｈに満たない場合としては、上記のほかにも、撮影者が撮影を中断してカメラ１をカバン等に収納した場合が考えられる。この場合、液晶モニタ１７のオン状態が継続する。しかし、後述するように、カメラ制御部２３は、設定時間内に操作部１６に対する操作が何もなければ、液晶モニタ１７をオフ状態に設定する。このように、液晶モニタ１７がオン状態であっても、設定時間後に液晶モニタ１７はオフ状態になるため、液晶モニタ１７での無駄な電力消費を削減できる。
【００５０】
一方、液晶モニタ１７の表示画面１７１をカメラボディ２の側に向けて収納した使用形態（図２参照）において、検出照度Ｌ１及び検出照度Ｌ２が、いずれも照度閾値Ｌｔｈに満たない状態になるのは、例えば、撮影中のカメラ１が暗所に持ち込まれた場合や、カバン等に収納された場合である。
【００５１】
上述したように、液晶モニタ１７の表示画面１７１をカメラボディ２の側に向けて収納した使用形態は、撮影者がファインダ９を覗きながら撮影する場合である。この場合に、カメラ１が暗所に持ち込まれたり、照明等が消されたりした場合には、撮影を継続しない又は撮影できない可能性が高い。このため、液晶モニタ１７をオン状態に設定する必要がない。また、液晶モニタ１７の表示画面１７１をカメラボディ２の側に向けて収納した使用形態において、カメラ１がカバン等に収納された場合にも、検出照度Ｌ１及び検出照度Ｌ２が、いずれも照度閾値Ｌｔｈに満たない状態となる。この場合は、撮影者が撮影を継続していない可能性が高い。このため、液晶モニタ１７をオン状態に設定する必要がない。
【００５２】
従って、カメラ制御部２３は、検出照度Ｌ１及び検出照度Ｌ２が、いずれも照度閾値Ｌｔｈに満たない場合に、データメモリ２１に記憶されている情報がオフ状態であれば、液晶モニタ１７をオフ状態に設定する。これによれば、液晶モニタ１７をオン状態に設定する必要がない使用形態において、液晶モニタ１７のオフ状態が維持されるため、液晶モニタ１７での無駄な電力消費を削減できる。カメラ制御部２３は、液晶モニタ１７をオフ状態に設定した場合は、データメモリ２１にオフ状態の設定を記憶する。
【００５３】
更に、カメラ制御部２３は、液晶モニタ１７をオン状態に設定した場合において、その後の設定時間（例えば、８秒間）内に、操作部１６に対する操作が何も無ければ、液晶モニタ１７をオフ状態に設定する。これにより、液晶モニタ１７での無駄な電力消費を削減できる。なお、カメラ制御部２３は、液晶モニタ１７をオフ状態に設定した場合は、データメモリ２１にオフ状態の設定を記憶する。
【００５４】
次に、上記のように構成されたカメラ１において、カメラ制御部２３が、液晶モニタ１７の状態を制御する場合の処理手順を、図４を参照しながら説明する。図４に示すフローチャートの処理は、カメラボディ２の電源がオンすることにより開始し、所定時間間隔で周期的に実行される。
【００５５】
ステップＳ１０１において、カメラ制御部２３は、第１照度センサ１９で検出された周囲光の検出照度Ｌ１を取得すると共に、第２照度センサ２０で検出された周囲光の検出照度Ｌ２を取得する。
【００５６】
ステップＳ１０２において、カメラ制御部２３は、第１照度センサ１９で検出された周囲光の検出照度Ｌ１が照度閾値Ｌｔｈを超えるか否かを判定する。ステップＳ１０２において、カメラ制御部２３が、検出照度Ｌ１は照度閾値Ｌｔｈを超える（ＹＥＳ）と判定した場合には、処理はステップＳ１０３へ移行する。また、ステップＳ１０２において、カメラ制御部２３が、検出照度Ｌ１は照度閾値Ｌｔｈに満たない（ＮＯ）と判定した場合には、処理はステップＳ１０４へ移行する。
【００５７】
ステップＳ１０２（判定：ＹＥＳ）より移行したステップＳ１０３において、カメラ制御部２３は、液晶モニタ１７をオン状態に設定する。また、カメラ制御部２３は、データメモリ２１にオン状態の設定を記憶する。これにより、液晶モニタ１７には画像が表示される。カメラ制御部２３は、ステップＳ１０２を実行した後、本フローチャートの処理を終了する。
【００５８】
一方、ステップＳ１０２（判定：ＮＯ）より移行したステップＳ１０４において、カメラ制御部２３は、第２照度センサ２０で検出された周囲光の検出照度Ｌ２が照度閾値Ｌｔｈを超えるか否かを判定する。ステップＳ１０４において、カメラ制御部２３が、検出照度Ｌ２は照度閾値Ｌｔｈを超える（ＹＥＳ）と判定した場合には、処理はステップＳ１０５へ移行する。また、ステップＳ１０４において、カメラ制御部２３が、検出照度Ｌ２は照度閾値Ｌｔｈに満たない（ＮＯ）と判定した場合には、処理はステップＳ１０６へ移行する。
【００５９】
ステップＳ１０４（判定：ＹＥＳ）より移行したステップＳ１０５において、カメラ制御部２３は、液晶モニタ１７をオフ状態に設定する。また、カメラ制御部２３は、データメモリ２１にオフ状態の設定を記憶する。これにより、液晶モニタ１７における画像の表示が停止する。カメラ制御部２３は、ステップＳ１０５を実行した後、本フローチャートの処理を終了する。
【００６０】
一方、ステップＳ１０４（判定：ＮＯ）より移行したステップＳ１０６において、カメラ制御部２３は、データメモリ２１を参照し、液晶モニタ１７に対する設定がオン状態かオフ状態かを判定する。ステップＳ１０６において、カメラ制御部２３が、オン状態の設定である（ＹＥＳ）と判定した場合には、処理は、ステップＳ１０７へ移行する。また、ステップＳ１０６において、カメラ制御部２３が、オフ状態の設定である（ＮＯ）と判定した場合には、処理は、ステップＳ１０８へ移行する。
【００６１】
ステップＳ１０６（判定：オン状態）より移行したステップＳ１０７において、カメラ制御部２３は、液晶モニタ１７をオン状態に設定する。また、カメラ制御部２３は、データメモリ２１にオン状態の設定を記憶する。これにより、液晶モニタ１７には、継続して画像が表示される。カメラ制御部２３は、ステップＳ１０７を実行した後、本フローチャートの処理を終了する。
【００６２】
一方、ステップＳ１０６（判定：オフ状態）より移行したステップＳ１０８において、カメラ制御部２３は、液晶モニタ１７をオフ状態に設定する。また、カメラ制御部２３は、データメモリ２１にオフ状態の設定を記憶する。これにより、液晶モニタ１７における画像の表示が停止する。カメラ制御部２３は、ステップＳ１０８を実行した後、本フローチャートの処理を終了する。
【００６３】
上述した実施形態によれば、以下の効果を奏する。
（１）本実施形態において、カメラ制御部２３は、２つの照度センサにより検出された検出照度Ｌ１、検出照度Ｌ２及び照度閾値Ｌｔｈに基づいて、液晶モニタ１７をオン状態又はオフ状態に設定する。これによれば、高価な磁石型センサや近接センサを用いることなく液晶モニタ１７の位置を検出できるだけでなく、液晶モニタ１７の周囲光の変化に応じて液晶モニタ１７の表示を切り替えることができる。従って、本実施形態のカメラ１によれば、高価なセンサを用いることなく、液晶モニタ１７の位置や周囲光に応じて液晶モニタ１７の状態を適切に制御できる。
【００６４】
（２）本実施形態において、カメラ制御部２３は、第１照度センサ１９で検出された周囲光の検出照度Ｌ１に応じて液晶モニタ１７の輝度を制御する。すなわち、第１照度センサ１９は、液晶モニタ１７の位置を検出するための照度センサとして機能するだけでなく、液晶モニタ１７の輝度を制御するための照度センサとしても機能する。これによれば、第１照度センサ１９及び第２照度センサ２０のほかに、周囲光の明暗に応じて液晶モニタ１７の輝度を制御するための専用の照度センサを設ける必要がない。このため、カメラ１をより低コストで提供できる。
【００６５】
（３）本実施形態において、カメラ制御部２３は、第１照度センサ１９で検出された検出照度Ｌ１が照度閾値Ｌｔｈを超える場合には、液晶モニタ１７をオン状態に設定する。これによれば、撮影者がライブビュー撮影等、液晶モニタ１７に表示された画像を見ながら撮影する使用形態において、撮影者とカメラ１との距離に影響されることなく、常に液晶モニタ１７に画像を表示できる。
【００６６】
（４）本実施形態において、カメラ制御部２３は、第１照度センサ１９で検出された検出照度Ｌ１が照度閾値Ｌｔｈを超えず、且つ、第２照度センサ２０で検出された検出照度Ｌ２が照度閾値Ｌｔｈを超える場合には、液晶モニタ１７をオフ状態に設定する。これによれば、撮影者が、ファインダ９を覗きながら撮影する使用形態において、液晶モニタ１７での無駄な電力消費を削減できる。
【００６７】
（５）本実施形態において、カメラ制御部２３は、第１照度センサ１９で検出された周囲光の検出照度Ｌ１及び第２照度センサ２０で検出された周囲光の検出照度Ｌ２が、いずれも照度閾値Ｌｔｈに満たない場合において、データメモリ２１に記憶されている情報がオン状態であれば、液晶モニタ１７をオン状態に設定する。これによれば、例えば、液晶モニタ１７を開き位置まで回動させた使用形態において、カメラ１が暗所に持ち込まれた場合でも、液晶モニタ１７に撮影中の画像を表示できる。このため、撮影中にカメラ１が暗所に持ち込まれても、液晶モニタ１７において画像の表示が停止しないので、撮影者に違和感を与えることがない。
【００６８】
また、カメラ制御部２３は、第１照度センサ１９で検出された周囲光の検出照度Ｌ１及び第２照度センサ２０で検出された周囲光の検出照度Ｌ２が、いずれも照度閾値Ｌｔｈに満たない場合において、データメモリ２１に記憶されている情報がオフ状態であれば、液晶モニタ１７をオフ状態に設定する。これによれば、例えば、撮影者がファインダ９を覗きながら撮影する使用形態において、カメラ１が暗所に持ち込まれたり、照明等が消されたりした場合に、液晶モニタ１７のオフ状態を維持できる。このため、液晶モニタ１７での無駄な電力消費を削減できる。
【００６９】
（６）本実施形態において、カメラ制御部２３は、液晶モニタ１７をオン状態に設定した後、設定時間内に操作部１６に対する操作が何もなければ、液晶モニタ１７をオフ状態に設定する。このため、液晶モニタ１７での無駄な電力消費を削減できる。
（変形形態）
【００７０】
以上説明した実施形態に限定されることなく、本発明は以下に示すような種々の変形や変更が可能であり、それらも本発明の範囲内である。
本実施形態では、カメラ１の周囲光の照度に応じて、液晶モニタ１７をオン状態又はオフ状態に設定する例について説明した。しかしこの例に限らず、カメラ１の周囲光の照度に応じて、カメラボディ２をオン状態又はオフ状態に設定してもよい。例えば、ライブビュー撮影中に液晶モニタ１７が閉じられた（図２の状態）場合には、ライブビュー撮影をオフ状態に設定してもよい。また、その状態から液晶モニタ１７が開いた（図３（ａ）等）場合に、ライブビュー撮影をオン状態に設定してもよい。
【００７１】
また、ライブビュー撮影をオフ状態に設定した際に、液晶モニタ１７もオフ状態に設定してもよいし、ライブビュー撮影をオン状態に設定した際に、液晶モニタ１７もオン状態に設定してもよい。このように、カメラボディ２及び液晶モニタ１７の両方について、同時にオン状態又はオフ状態を設定するようにしてもよい。
【００７２】
本実施形態において、液晶モニタ１７は、二軸式のヒンジ部１０によりカメラボディ２に連結される。しかし、液晶モニタ１７とカメラボディ２とを連結するヒンジ部の構成は、この例に限定されない。例えば、液晶モニタ１７を、一軸式のヒンジ部によりカメラボディ２に連結してもよい。
【００７３】
本実施形態では、本発明をレンズ交換式のデジタル一眼レフカメラに適用した例について説明した。しかし、本発明の適用は、この例に限定されない。例えば、可動式の液晶モニタを備えたレンズ一体型のデジタルカメラやビデオカメラにも適用できる。また、本発明は、開閉操作可能な液晶モニタを備えたノートＰＣや携帯電話にも適用できる。
【００７４】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００７５】
１：カメラ、２：カメラボディ（カメラ本体）、３：レンズ鏡筒、１６：操作部、１７：液晶モニタ（表示部）、１９：第１照度センサ、２０：第２照度センサ、２１：データメモリ（照度閾値記憶部、設定記憶部）、２３：カメラ制御部（制御部）
【図１】
2013172385.tif 000003
【図２】
2013172385.tif 000004
【図３】
2013172385.tif 000005
【図４】
2013172385.tif 000006